(57)【要約】【課題】発泡樹脂製品を製造するサーキットラインにおける成形金型の段替えを、ラインの運転を停止させずに行え、ライン停止のロスをなくし、生産効率の向上を図る。【解決手段】サーキットラインＣＬで成形金型１の段替えの際、サーキットラインＣＬにおける１方向の直進移動部ＣＬ１から転回移動部ＣＬ３への方向変換部で、金型搬出装置２０の作動により段替え対象の成形金型１を転回移動部ＣＬ３へ進入させずに直進移動させてライン外へ搬出し、これに続く転回移動部ＣＬ３から他方向の直進移動部ＣＬ２への方向変換部で、金型挿入装置３０の作動により段替え用の成形金型１をライン外から直進移動させて金型搬出による空間部分に挿入する。【選択図】        図２
2006062205.tif 000002
【特許請求の範囲】
【請求項１】
複数の成形金型を所定の間隔で移動させ、発泡樹脂材料の注入、型閉め、加熱、型開き及び製品取り出し等の各工程を順次通過させて、発泡樹脂製品を成形し製造するサーキットラインにおいて、
成形金型の段替えの際、前記サーキットラインにおける１方向の直進移動部から転回移動部への方向変換部で、段替え対象の成形金型を転回移動部へ進入させずに直進移動させてライン外へ搬出し、これに続く転回移動部から他方向の直進移動部への方向変換部で、段替え用の新たな成形金型をライン外から直進移動させて前記金型搬出による空間部分に挿入することを特徴とする成形金型の段替え方法。
【請求項２】
サーキットラインの作動を制御する制御部において、段替え対象の成形金型を番号等により事前登録しておき、該成形金型が前記直進移動部から前記転回移動部への方向変換部の位置まできたときに、金型搬出装置の作動により前記成形金型を直進移動させてライン外へ自動的に搬出し、さらに前記金型搬出による空間部分が前記転回移動部から直進移動部への方向変換部に達したときに、金型挿入装置の作動により段替え用の成形金型をライン外より直進移動させて前記空間部分に自動的に挿入することを特徴とする請求項１に記載の成形金型の段替え方法。
【請求項３】
各成形金型を台車に搭載し、各台車を、前記サーキットラインに沿うガイドレールに沿って移動させるとともに、成形金型の段替えの際、前記ガイドレールにおける前記金型搬出側の方向変換部付近及び金型挿入側の方向変換部付近のそれぞれ一部のレール部分を直進方向に切り替えて、前記台車毎に搬出及び挿入を行うことを特徴とする請求項１または２に記載の成形金型の段替え方法。
【請求項４】
複数の成形金型を所定の間隔で移動させ、発泡樹脂材料の注入、型閉め、加熱、型開き及び製品取り出し等の各工程を順次通過させて、発泡樹脂製品を成形し製造するサーキットラインにおいて、
前記サーキットラインの１方向の直進移動部から転回移動部への方向変換部の近傍に、段替え対象の成形金型を転回移動部へ進入させずに直進移動させてライン外へ搬出する金型搬出装置を設けるとともに、該転回移動部から他方向の直進移動部への方向変換部の近傍に、段替え用の成形金型をライン外から直進移動させて前記金型搬出による空間部分に挿入する金型挿入装置を設け、前記金型搬出装置及び前記金型挿入装置の作動により成形金型の段替えを行うようにしたことを特徴とする成形金型の段替え装置。
【請求項５】
前記金型搬出装置及び前記金型挿入装置は、それぞれサーキットラインの作動を制御する制御部と接続され、前記制御部において事前登録された段替え対象の成形金型が前記直進移動部から前記転回移動部への方向変換部の位置まできたときに前記制御部からの指令で前記金型搬出装置が作動し、また前記金型搬出による空間部分が前記転回移動部から直進移動部への方向変換部に達したときに前記制御部からの指令で前記金型挿入装置が作動するように構成されてなる請求項４に記載の成形金型の段替え装置。
【請求項６】
前記各成形金型が台車に搭載されるとともに、各台車が前記サーキットラインに沿うガイドレールに沿って移動するように設けられるとともに、前記ガイドレールは、前記金型搬出側の方向変換部付近及び金型挿入側の方向変換部付近のそれぞれ一部のレール部分が直進移動部と同列の直進方向に切り替え可能に設けられており、前記金型搬出時及び前記金型挿入時に前記レール部分が直進方向に切り替えられて、前記金型搬出装置及び金型挿入装置のそれぞれの作動により、前記台車毎に成形金型の搬出及び挿入を行うように構成されてなる請求項４または５に記載の成形金型の段替え装置。
【請求項７】
前記サーキットラインには、該ラインに沿って環状に連続して回動し、かつ前記成形金型を搭載した前記台車の一側部に有する突起部に係合して該台車を押動する係合部が長手方向の一定間隔毎に付設されてなる移動手段を備え、各台車を非連接状態で移動させるように構成されてなる請求項６に記載の成形金型の段替え装置。
【請求項８】
前記金型搬出装置及び前記金型挿入装置として、それぞれ前記サーキットラインの直進移動部の延長上に沿って直進方向に往復移動する移動手段を備えるとともに、各移動手段には前記台車に対し係合自在な係合手段が設けられており、段替え時に、前記段替え対象の成形金型あるいは段替え用の成形金型を搭載した台車を直進移動させるように設けられてなる請求項４〜７のいずれか１項に記載の成形金型の段替え装置。
【発明の詳細な説明】
【技術分野】
【０００１】
本発明は、シート用クッションパッド等の発泡樹脂製品を製造するサーキットラインにおける成形金型の段替え方法及び装置に関するものである。
【背景技術】
【０００２】
ポリウレタン製のシートクッションパッド等の発泡樹脂製品は、通常、上型と下型とよりなる成形金型を用い、上型を下型に対して型開きした状態で発泡樹脂材料（発泡樹脂原液）を下型に注入し、続いて下型に対して上型の型閉めし、次に、加熱ゾーンを通過させて加熱発泡成形を行い、その後、型開きして成形品（製品）を取り出す各工程を経て製造される。
【０００３】
通常は、前記成形金型を台車に搭載し、これを、前記の一連の工程を配置してなる所定の製造ライン、特には、長手方向両端部が大きく転回（Ｕターン）して環状に連続している所謂サーキットラインに沿って連続して走行移動させながら、各台車の成形金型毎に発泡樹脂製品を成形して製造するのが一般的である。
【０００４】
ところで、前記発泡樹脂製品を製造するサーキットラインにおいては、製造対象となる製品の品種変更等に応じて、前記ライン上の成型金型を交換する所謂段替え作業が必要になる。特に、多品種小ロットの生産の場合には前記の段替えの頻度も多くなる。
【０００５】
従来、前記サーキットラインでの段替えは、ラインを一旦ストップさせ、クレーン、ホイスト、フォークリフト等を使用して、図１１のように、段替え対象の成形金型１０１を台車１１０毎、あるいは当該金型１０１のみをラインから降ろし、空いた個所に段替え用の新しい成形金型１０１を台車１１０毎、あるいは該金型１０１のみを挿入することとしていた。すなわち、この段替えのために、ラインを一時的に停止させる製造上のロスが発生することになった。特に、段替え数が多くなればなるほど、ラインの停止時間も長くなり、生産効率が低下するものであった。
【０００６】
また、下記の特許文献１のように、成形金型のうちの汎用部を残して、キャビティを形成する専用部分の全部又は一部を取り換えることにより、段替え時間の短縮を図る提案がなされているが、この場合にも、段替えのためにラインを一時的に停止させることには変わりがなく、やはり製造上のロスが発生することになり、生産効率を低下させるものとなっている。
【特許文献１】特開２００３−１９１０６３号公報
【発明の開示】
【発明が解決しようとする課題】
【０００７】
本発明は、上記に鑑みてなしたものであり、シート用クッションパッド等の発泡樹脂製品を製造するサーキットラインにおいて、連続して移送される成形金型の段替えを、ラインの運転を停止させることなく行えるようにして、一時的なライン停止のロスをなくし、生産効率の向上を図ることができ、また段替え作業を自動化できる成形金型の段替え方法及び段替え装置を提供するものである。
【課題を解決するための手段】
【０００８】
上記の課題を解決する本発明の成形金型の段替え方法は、複数の成形金型を所定の間隔で移動させ、発泡樹脂材料の注入、型閉め、加熱、型開き及び製品取り出し等の各工程を順次通過させて、発泡樹脂製品を成形し製造するサーキットラインにおいて、成形金型の段替えの際、前記サーキットラインにおける１方向の直進移動部から転回移動部への方向変換部で、段替え対象の成形金型を転回移動部へ進入させずに直進移動させてライン外へ搬出し、これに続く該転回移動部から他方向の直進移動部への方向変換部で、段替え用の成形金型をライン外から直進移動させて前記金型搬出による空間部分に挿入することを特徴とする。
【０００９】
これにより、サーキットラインにおける段替え対象の成形金型のライン外への搬出、及び段替え用の新たな成形金型の挿入を、サーキットラインの直進移動部と転回移動部との方向変換部を利用して、ラインを停止させずに直進移動により容易に行うことができる。
【００１０】
また、本発明の段替え方法は、前記のサーキットラインの作動を制御する制御部において、段替え対象の成形金型を番号等により事前登録しておき、該成形金型が前記直進移動部から前記転回移動部への方向変換部の位置まできたときに、金型搬出装置の作動により前記成形金型を直進移動させてライン外へ自動的に搬出し、さらに前記金型搬出による空間部分が前記転回移動部から直進移動部への方向変換部に達したときに、金型挿入装置の作動により段替え用の成形金型をライン外より直進移動させて前記空間部分に自動的に挿入することを特徴とする。これにより、成形金型の段替えをラインを停止させずに自動的に行うことができる。
【００１１】
前記の段替え方法において、各成形金型を台車に搭載し、各台車を、前記サーキットラインに沿うガイドレールに沿って移動させるとともに、成形金型の段替えの際、前記ガイドレールにおける前記金型搬出側の方向変換部付近及び金型挿入側の方向変換部付近のそれぞれ一部のレール部分を直進方向に切り替えて、前記走行台車毎に搬出及び挿入を行うようにすることにより、段替え作業をさらに簡略化、自動化できる。
【００１２】
また、本発明は、前記の段替え方法を実施するための段替え装置として、複数の成形金型を所定の間隔で移動させ、発泡樹脂材料の注入、型閉め、加熱、型開き及び製品取り出し等の各工程を順次通過させて、発泡樹脂製品を成形し製造するサーキットラインにおいて、前記サーキットラインの１方向の直進移動部から転回移動部への方向変換部の近傍に、段替え対象の成形金型を転回移動部へ進入させずに直進移動させてライン外へ搬出する金型搬出装置を設けるとともに、該転回移動部から他方向の直進移動部への方向変換部の近傍に、段替え用の成形金型をライン外から直進移動させて前記金型搬出による空間部分に挿入する金型挿入装置を設け、前記金型搬出装置及び前記金型挿入装置の作動により成形金型の段替えを行うようにしたことを特徴とする。これにより、前記の段替え方法を好適に実施できる。
【００１３】
前記金型搬出装置及び前記金型挿入装置は、それぞれサーキットラインの作動を制御する制御部と接続され、前記制御部において事前登録された段替え対象の成形金型が前記直進移動部から前記転回移動部への方向変換部の位置まできたときに前記制御部からの指令で前記金型搬出装置が作動し、また前記金型搬出による空間部分が前記転回移動部から直進移動部への方向変換部に達したときに前記制御部からの指令で前記金型挿入装置が作動するように構成されてなるものとすることができる。これにより、前記成形金型の移動に合わせて、段替え対象の成形金型の搬出、及び段替え用の新たな成形金型の挿入を行え、段替え作業をスムーズにかつ自動的に行うことができる。
【００１４】
また、本発明は、前記各成形金型が台車に搭載されるとともに、各台車が前記サーキットラインに沿うガイドレールに沿って移動するように設けられるとともに、前記ガイドレールは、前記金型搬出側の方向変換部付近及び金型挿入側の方向変換部付近のそれぞれ一部のレール部分が直進移動部と同列の直進方向に切り替え可能に設けられており、前記金型搬出時及び前記金型挿入時に前記レール部分が直進方向に切り替えられて、前記金型搬出装置及び金型挿入装置のそれぞれの作動により、前記台車毎に成形金型の搬出及び挿入を行うように構成されてなるものとすることができる。
【００１５】
前記サーキットラインには、該ラインに沿って環状に連続して回動し、かつ前記成形金型を搭載した前記台車の一側部に有する突起部に係合して該台車を押動する係合部が長手方向の一定間隔毎に付設されてなる移動手段を備え、各台車を非連接状態で移動させるように構成されてなるものとすることができる。これにより、前記台車を移動手段に結合せずに移動させることができ、段替え時の自動搬出、自動挿入を可能にできる。
【００１６】
前記金型搬出装置及び前記金型挿入装置として、それぞれ前記サーキットラインの直進移動部の延長上に沿って直進方向に往復移動する移動手段を備えるとともに、各移動手段には前記台車に対し係合自在な係合手段が設けられており、段替え時に、前記段替え対象の成形金型あるいは段替え用の成形金型を搭載した台車を直進移動させるように設けられてなるものとすることができる。
【発明の効果】
【００１７】
上記したように本発明の成形金型の段替え方法及び段替え装置によれば、シート用クッションパッド等の発泡樹脂製品を製造するサーキットラインにおいて、連続して移送される成形金型の段替えを、ラインの運転を停止させることなく、つまり運転を継続しながら行え、従来のような段替えのための一時的なライン停止のロスをなくし、生産効率の向上を図ることができ、また段替えを自動化することもできる。
【発明を実施するための最良の形態】
【００１８】
次に、本発明の実施の形態を図面に示す実施例に基づいて説明する。
【００１９】
図１は、本発明におけるサーキットラインの概略を模式的に示す示す略示平面図、図２は同サーキットラインでの段替え方法の略示説明図、図３は同サーキットラインにおいて、成形金型を搭載した台車の移動手段と台車移動用の軌道とガイドレールを示す（台車を省略）略示平面図である。図４は同上のサーキットラインの台車移動状態の一部の拡大略示平面図、図５は同上の一の台車部分の拡大平面図、図６は前後の台車の間隔部分の一部の側面図、図７は同上のサーキットラインにおける台車の正面図である。図８は金型搬出装置の部分の略示拡大平面図、図９は金型挿入装置の部分の略示拡大平面図、図１０はガイドレールの切り替え機構の概略説明図である。
【００２０】
図１のサーキットラインＣＬは、例えば自動車シート用のクッションパッド等の発泡樹脂製品を成形し製造するためのラインであり、長手方向両端部が転回移動部として平面略長方形の環状に連続している。すなわち、平行をなす往復の直進移動部ＣＬ１，ＣＬ２が長手方向両端部の転回移動部ＣＬ３，ＣＬ３を介して連続状をなしている。
【００２１】
基本的に、前記のサーキットラインＣＬにおいては、型閉めにより製造対象の発泡樹脂製品に対応する所定のキャビティを形成する上型１ａと下型１ｂとよりなる成形金型１を、例えば図示するように移送用の台車１０に２組ずつ搭載して、成形サイクル等に応じて製造上において必要とされる台数の台車１０を所定の間隔で連続的に走行移動させるように設け、前記サーキットラインＣＬに沿って、特には前記直進移動部ＣＬ１，ＣＬ２に沿って設けられている製造上の各工程、すなわち、発泡樹脂材料（ポリウレタン等の原液）を型開き状態の下型に注入する注入工程Ａ、上型を下型に対し型閉めする型閉め工程Ｂ、発泡樹脂材料を加熱発泡させる加熱工程Ｃ、上型を開いて発泡成形された成形品（製品）を取り出す型開き及び製品取り出し工程Ｄ等の各工程を順次通過させて、所定の発泡樹脂製品を成形し製造するように構成されている。通常、図１のように、前記注入工程Ａとこれに続く前記型閉め工程Ｂは、一方の直進移動部ＣＬ１に、また、前記加熱工程Ｃと前記型開き及び製品取り出し工程Ｄは、他方の直進移動部ＣＬ２に配置される。
【００２２】
前記成形金型１を搭載する台車１０は、図５及び図７に拡大して示すように、基台となる台プレート１１上に、下型用の台枠１２が設けられて、該台枠１２に前記下型１ｂが固定され、また、前記下型用の台枠１２に対しピン連結構造により開閉動作可能に設けられた上型用の台枠１３に前記上型１ａが固定されており、前記台枠１３が下型用の台枠１２に対し開閉動作することにより、前記上型１ａが下型１ｂに対して開閉動作するように構成されている。前記上型１ａを下型１ｂに対して型閉めした状態において、製品に対応するキャビティ１ｃを形成する。
【００２３】
前記台車１０の台プレート１１の下面には、四隅部近傍にそれぞれ走行用のタイヤ構造やゴムローラ構造をなす走行用の車輪１４が設けられている。さらに前記台プレート１１の前記サーキットラインＣＬの内縁側の側部より突出する走行移動用の突起部１５が設けられている。また、前記台プレート１１の下面には前記車輪１４の位置を外して下方向きに突出するガイドローラ１６が設けられており、該ガイドローラ１６が後述する前記サーキットラインＣＬの床面上に設けられたガイドレールによりガイドされることにより所定の軌道上をずれなく安定性よく走行移動できるように設けられている。
【００２４】
また、前記台車１０の一側部、特には前記サーキットラインＣＬの外側になる一側部には、外方に突出して後述する段替えのための金型搬出装置２０および金型挿入装置３０の後述する係合手段が作用する係合突起１７，１７が前後に間隔をおい突設されている。
【００２５】
一方、前記台車１０を走行移動させるサーキットラインＣＬの床面には、前記台車１０の下面に有する車輪１４が乗載する平行な２条の環状の軌道２が設けられている。また、この軌道２の前記サーキットラインＣＬの内縁側に沿って、平行な内外２本のレール体３ａ，３ｂを１組として、両レール体３ａ，３ｂ間にガイド溝部３ｃを形成するガイドレール３が設けられており、前記台車１０は、その下面に有する前記ガイドローラ１６が前記ガイド溝部３ｃに嵌入して、前記車輪１４が横ずれなく前記軌道２上を走行できるようになっている。
【００２６】
また、前記サーキットラインＣＬには、前記台車１０の走行移動する部分の内周に沿って無端で回動する移動手段としての移動用のチェーン４が配置され、該チェーン４の長手方向の所定間隔毎に、前記台車１０の側部より突出する前記突起部１５に対し係合し押動できる係合部材５が付設されている。これにより、前記台車１０を一定間隔に保持して連続して走行移動させるようになっている。
【００２７】
図中の６ａ，６ｂ，６ｃ，６ｄは前記両転回移動部ＣＬ３，ＣＬ３においてそれぞれ前記移動手段としての無端の移動用のチェーン４を所定の高さ位置で回動可能に支持するスプロケットであり、そのうち一方の転回移動部ＣＬ３おける２つのスプロケット６ａ，６ｂの一方のスプロケット６ａは、モータなどの駆動源７と伝動チェーン８により連結されて所定の回転が付与されるように設けられており、該スプロケット６ａの回転により、前記移動用チェーン４が所定の速度の回動するように設けられている。前記台車１０は、この移動用チェーン４の回動によって走行移動させられる。
【００２８】
前記各台車１０は、これに搭載される２つの成形金型１，１の間隔と前後の台車１０，１０の成形金型１，１の間隔とが略同間隔になるように、前記係合部材５の位置が設定されている。また、前記台車１０の前後部には、図５及び図６のように、その一方に当接時の衝撃を緩和するスプリング９ａが、また他方に前記スプリング９ａと当接するボルト等の突起９ｂが付設されている。これにより、前記突起部１５が後方から係合部材５により押動されて移動する、相互に連接されていない各台車１０，１０同士の当接時の衝撃を緩和して、かつ所定の間隔を保有するようになっている。
【００２９】
そして、本発明の段替え方法においては、上記のサーキットラインＣＬにおいて、成形金型１の段替えの際に、前記サーキットラインＣＬにおける１方向の直進移動部ＣＬ１から一方の転回移動部ＣＬ３への方向変換部で、段替え対象の成形金型１を転回移動部ＣＬ３へ進入させずに直進移動させてライン外へ搬出し、これに続く前記転回移動部ＣＬ３から他方向の直進移動部ＣＬ２への方向変換部で、段替え用の新しい成形金型１をライン外から直進移動させて前記金型搬出による空間部分Ｓに挿入する。
【００３０】
前記成形金型１の段替えのための搬出及び挿入を可能にするために、前記サーキットラインＣＬの１方向の直進移動部ＣＬ１から一方の転回移動部ＣＬ３への方向変換部（コーナー部）の近傍に、段替え対象の成形金型１を転回移動部ＣＬ３へ進行させずに直進移動させてライン外へ搬出する金型搬出装置２０を設けている。さらに、これに続いて該転回移動部ＣＬ３から他方向の直進移動部ＣＬ２への方向変換部（コーナー部）の近傍に、段替え用の新たな成形金型１をライン外から直進移動させて前記金型搬出による空間部分Ｓに挿入する金型挿入装置３０を設けている。
【００３１】
前記金型搬出装置２０として、図示する実施例の場合は、図８に示すように、サーキットラインＣＬにおける直進移動部ＣＬ１と少なくとも１台の台車１０の長さ分が対応する位置から、その延長方向に直進方向に延びる補助の軌道２２が設けられるとともに、前記サーキットラインＣＬの外側で前記補助の軌道２２に沿って両端位置のスプロケット２１ａ，２１ｂに架渡されて直進方向に往復移動する移動手段としてのチェーン２４が設けられている。前記チェーン２４には、前記の台車１０の外側縁より突出する前記係合突起１７，１７に対して係脱自在なチャックアーム等の一対の係合手段２５，２５が取設されており、該係合手段２５，２５が、前記直進移動部ＣＬ１との対応位置で前記係合突起１７，１７に対し係合して、前記チェーン２４の作動で搬出方向に移動することより、前記台車１０を回転移動部ＣＬ３に進ませずに直進移動させライン外へ搬出できるように設けられている。
【００３２】
前記の係合手段２５，２５は、例えば、前記チェーン２４に取着した基部材２６に対し適宜手段により上下動可能に設けられるとともに、相互に接近方向に変位可能に設けられており、通常時（非段替え時）は前記台車１０の係合突起１７，１７の位置より上方位置に保持されており、段替えの際、段替え対象の成形金型１を搭載した台車１０が直進移動部ＣＬ１から一方の転回移動部ＣＬ３への方向変換部の所定の位置まで移動してきたときに、前記係合手段２５，２５が、前記係合突起１７，１７の高さ位置まで降下して、かつ相互に接近方向に変位することにより該係合突起１７，１７を前後から挟持して係合状態に保持でき、搬出後に離脱できるようになっている。もちろん、前記以外の係合手段により前記係合突起１７，１７に対し係脱可能に設けることもできる。図中の２７は前記チェーン２４の駆動用モータである。
【００３３】
さらに、前記台車１０の搬出を可能にするために、前記サーキットラインＣＬにおけるガイドレール３は、図１０に拡大して示すように、前記搬出部になる方向変換部の個所では、該サーキットラインＣＬに沿って設けられたガイドレール３の一部、特には外側のレール体３ｂの一部のレール部分が、他の主レール部分と切り離された切り替え用レール部材３ｄ２により構成されて、前記レール部材３ｄ２が、直進移動部ＣＬ１に近い枢支軸部２８を中心に外側（図の１０の鎖線参照）に拡開可能に設けられており、成形金型１を搭載した台車１０を搬出する際に、前記レール部材３ｄ２を前記のように拡開させることにより、前記台車１０を問題なく直進移動させることができるようになっている。
【００３４】
前記のレール部材３ｄ２を回動させる手段として、前記レール部材３ｄ２に油圧シリンダー等の進退手段２９の出力部材２９ａが連結され、該進退手段２９の作動により開閉回動するように設けられている。また、前記レール部材３ｄ２の拡開時に、内側のレール体３ａの直進方向の延長上に補助のガイドレール部材２３が軌道２を避けて配設され、前記のように搬出される台車１０をずれなく直進移動させることができるようになっている。
【００３５】
また、前記金型挿入装置３０においては、上記の金型搬出装置２０の場合と同様に、図９に示すように、前記の転回移動部ＣＬ３から他方の直進移動部ＣＬ２に連続する方向変換部（コーナー部）において、該直進移動部ＣＬ２の移動方向後方から前記直進移動部ＣＬ２の部分にまで直進方向に延びる補助の軌道３２が設けられるとともに、該補助の軌道３２の外側に沿って両端位置のスプロケット３１ａ，３１ｂに架渡されて直線方向に往復移動する移動手段としてのチェーン３４が設けられている。そして、前記チェーン３４には、前記の台車１０の外側縁より突出する前記係合突起１７，１７に対して係脱自在なチャックアーム等の一対の係合手段３５、３５が取設されており、該係合手段３５，３５を、後方の待機位置において段替え用の新たな成形金型１を搭載した台車１０に有する係合突起１７，１７に対し係合させて、前記チェーン３４を作動させることにより、新たな前記台車１０を、直進移動部ＣＬ２の部分に直進移動させ、前記の金型搬出による空間部分Ｓに挿入できるように設けられている。
【００３６】
前記の係合手段３５、３５は、金型搬出装置２０の側と同様に、前記チェーン３４に取着した基部材３６に対し適宜手段により上下動可能に設けられるとともに、相互に接近方向に変位可能に設けられており、通常時（非段替え時）は前記台車１０の係合突起１７，１７の位置より上方位置に保持されて、段替えの際にのみ、前記係合手段３５，３５が、前記係合突起１７，１７の高さ位置まで降下して、かつ相互に接近方向に変位することにより、該係合突起１７，１７を前後から挟持して係合状態に保持でき、かつ挿入後に離脱できるようになっている。もちろん、前記以外の係合手段により前記係合突起１７，１７に対し係脱可能に設けることもできる。図中の３７は前記チェーン３４の駆動用モータである。
【００３７】
また、この金型挿入装置３０の部分においても、前記台車１０の挿入を可能にするために、前記サーキットラインＣＬにおけるガイドレール３については、金型搬出装置２０の部分と同様に、特に外側のレール体３ｂの一部のレール部分が、他の主レール部分と切り離された切り替え用レール部材３ｄ３により構成されて、該レール部材３ｄ３が、直進移動部ＣＬ２に近い枢支軸部３８を中心に外側に拡開可能に設けられており、この拡開により前記台車１０を問題なく直進移動させることができるようになっている。前記のレール部材３ｄ３を回動させる手段についても、上記と同様であり、油圧シリンダー等の進退手段３９の出力部材３９ａが連結され、該進退手段３９の作動により開閉回動するように設けられている。また、前記レール部材３ｄ３の拡開時に、内側のレール体３ａの直進方向の延長上に補助のガイドレール部材３３が軌道２を避けて配設されている。
【００３８】
前記金型搬出装置２０及び前記金型挿入装置３０は、それぞれサーキットラインＣＬの作動を制御するコンピュータ等よりなる制御部（図示せず）と接続されている。そして、前記制御部において金型番号あるいは台車番号等により事前登録しておいて、この登録された段替え対象の成形金型１もしくは該成型金型１を搭載した台車１０が前記直進移動部ＣＬ１から前記転回移動部ＣＬ３への方向変換部の位置まできたときに、前記制御部からの指令で前記金型搬出装置２０が作動して、段替え対象の成形金型１を搭載する台車１０の搬出動作を行ない、また、前記金型搬出による空間部分Ｓが前記転回移動部ＣＬ３から直進移動部ＣＬ２への方向変換部に達したときに、前記制御部からの指令で前記金型挿入装置３０が作動して、前記新たな成形金型１を搭載する新たな台車１０の挿入動作を行うように設定され、接続構成されている。
【００３９】
なお、前記搬出動作及び挿入動作は、前記台車１０の走行移動に合わせて行われるが、この動作のために、前記直進移動部ＣＬ１から前記転回移動部ＣＬ３への方向変換部に前記台車１０の移動位置を検出するセンサを設け、また前記転回移動部ＣＬ３から直進移動部ＣＬ２への方向変換部に前記空間部分Ｓの有無を検出するセンサを設けておき（いずれも図示省略）、該センサの検出信号を前記制御部に入力するようにして、該信号により前記制御部から指令を発するように構成することができる。
【００４０】
上記の構成、装置を備えるサーキットラインＣＬにおいて、段替え時の方法を各装置の作動状態とともに説明する。サーキットラインＣＬでは、所定数の成形金型１をそれぞれ二組ずつ台車１０に搭載して、必要台数の台車１０を、移動用のチェーン４の回動により所定の間隔を保持するようにして走行移動させ、発泡樹脂材料の注入工程Ａ、上型１ａを下型に１ｂ対し型閉めする型閉め工程Ｂ、発泡樹脂材料を加熱発泡させる加熱工程Ｃ、上型を開いて発泡成形された成形品（製品）を取り出す型開き及び製品取り出し工程Ｄ等の各工程を順次通過させて、発泡樹脂製品を成形し製造する。
【００４１】
そして、製造対象の発泡樹脂製品の品種変更等のために、成型金型１の段替えを行う場合は、段替え対象の成型金型１を搭載している台車１０が、前記サーキットラインＣＬにおける１方向の直進移動部ＣＬ１から転回移動部ＣＬ３への方向変換部、つまり段替えのための搬出部の位置まで移動してきたとき、金型搬出装置２０を例えば制御部からの指令で作動させ、図２の実線のように、前記台車１０を転回移動部ＣＬ３に進入させずにそのまま直進移動させてライン外へ搬出する。
【００４２】
すなわち、前記金型搬出装置２０の移動用チェーン２４に取設されている係合手段２５，２５を、前記直進移動部ＣＬ１から前記転回移動部ＣＬ３に進入する直前の台車１０と対応位置させておいて、前記のように移動してきた前記台車１０の側部の係合突起１７，１７に対し該係合手段２５，２５を係合させる。また、これと同時に、ガイドレール３の外側のレール体３ｂの一部のレール部材３ｄ２を拡開させ、台車１０の直進移動を可能にする。こうして、図２及び図８の実線のように、前記移動用チェーン２４の駆動により前記台車１０を補助の軌道２２の上をそのまま直進移動させてライン外の位置へ搬出する。
【００４３】
また、前記の金型搬出に続く前記転回移動部ＣＬ３から他方向の直進移動部ＣＬ２への方向変換部では、図９のように前記金型搬出による空間部分Ｓが前記転回移動部ＣＬ３から直進移動部ＣＬ２への方向変換部、つまり段替えのための挿入部の位置に達したとき、金型挿入装置３０を例えば制御部の指令で作動させ、段替え用の新たな成形金型１を搭載した台車１０をライン外より直進移動させて前記空間部分Ｓに挿入する。
【００４４】
すなわち、前記金型挿入装置３０の移動用チェーン３４に取設されている係合手段３５，３５を、図９のように補助の軌道３２上の待機位置にあって段替え用の成形金型１を搭載した台車１０と対応位置させて、該台車１０の側部の係合突起１７，１７に対し該係合手段３５，３５を係合させておく。そして、前記金型搬出による空間部分Ｓが段替えのための挿入部になる方向変換部の位置に達したとき、ガイドレール３の外側のレール体３ｂの一部のレール部材３ｄ３を拡開させて台車１０の直進移動を可能にするとともに、前記移動用チェーン３４の駆動により前記台車１０をライン外の補助の軌道３２上を直進移動部ＣＬ２に向かって直進移動させて前記空間部分Ｓに挿入する。この挿入後、前記係合手段３５，３５は、前記係合突起１７，１７に対する係合を解除し、元の待機位置に戻しておく。
【００４５】
このように、前記サーキットラインＣＬにおける段替え対象の成形金型１のライン外への搬出、及び段替え用の新たな成形金型１の挿入を、前記サーキットラインＣＬにおける直進移動部ＣＬ１から一方の転回移動部ＣＬ３への方向変換部、及び前記転回移動部ＣＬ３から直進移動部ＣＬ１への方向変換部を利用して、台車１０の走行移動に合わせて制御される金型搬出装置２０及び金型挿入装置３０の作動により、ラインの運転を停止させずに容易にかつ自動的に行うことができる。
【００４６】
また、図示する実施例のように、前記サーキットラインＣＬのうち、前記型閉め工程Ｂと前記加熱工程Ｃとの間の転回移動部ＣＬ３の部分で、すなわち該転回移動部ＣＬ３とこれと連続する両直進移動部ＣＬ１及びＣＬ２との方向変換部の位置で、成形金型の段替えを行うようにしたことにより、段替えにより新たに挿入された台車１０上の成形金型１は、前記挿入位置より該直進移動部ＣＬ２の後続に配された加熱工程Ｃを通過することで空の状態で予備的に加熱されることになるため、次に直進移動部ＣＬ１の側に回って各工程を通過する次回の成形が問題なく可能になる。
【００４７】
なお、上記した実施例においては、成形金型を台車に搭載し、各台車を前記サーキットラインに沿って移動させる場合において、前記台車毎に成形金型の搬出及び挿入を行うようにした場合について説明したが、本発明は、各成形金型を他の移送手段により走行移動させるように設けた場合においても、上記同様に、サーキットラインの１方向の直進移動部から転回移動部への方向変換部の近傍に、段替え対象の成形金型を転回移動部へ進入させずに直進移動させてライン外へ搬出する金型搬出装置を設けるとともに、該転回移動部から他方向の直進移動部への方向変換部の近傍に、段替え用の成形金型をライン外から直進移動させて前記金型搬出による空間部分に挿入する金型挿入装置を設け、前記金型搬出装置及び前記金型挿入装置の作動により成形金型の段替えを行うように構成して実施することができる。実施上は、図示するように成形金型を台車に搭載してガイドレールに沿って移動させるように設けて実施するのが、段替え作業の簡略化や自動化が容易になり好ましい。
【産業上の利用可能性】
【００４８】
本発明の成型金型の段替え方法及び段替え装置は、シート用クッションパッド等の発泡樹脂製品を製造するサーキットラインにおいて、製造する発泡樹脂製品の品種変更のための成型金型の段替えに特に好適に利用できる。
【図面の簡単な説明】
【００４９】
【図１】本発明におけるサーキットラインの概略を模式的に示す示す略示平面図である。
【図２】同上のサーキットラインでの段替え方法の略示説明図である。
【図３】同上のサーキットラインにおいて、成形金型を搭載した台車の移動手段と台車移動用の軌道とガイドレールを示す略示平面図である。
【図４】同上のサーキットライン上の台車移動状態の一部の拡大略示平面図である。
【図５】同上の一の台車部分の拡大平面図である。
【図６】前後の台車の間隔部分の一部の側面図である。
【図７】同上のサーキットラインにおける台車の正面図である。
【図８】金型搬出装置の部分の略示拡大平面図である。
【図９】金型挿入装置の部分の略示拡大平面図である。
【図１０】ガイドレールの切り替え機構の概略説明図である。
【図１１】従来の成型金型の段替え方法の略示説明図である。
【符号の説明】
【００５０】
ＣＬ  サーキットライン
ＣＬ１，ＣＬ２  直進移動部
ＣＬ３，ＣＬ３  転回移動部
Ａ    注入工程
Ｂ    型閉め工程
Ｃ    加熱工程
Ｄ    型開き及び製品取り出し工程
Ｓ    金型搬出による空間部分
１    成形金型
１ａ  上型
１ｂ  下型
１ｃ  キャビティ
２    軌道
３    ガイドレール
３ａ，３ｂ  レール体
３ｄ２，３ｄ３  切り替え用レール部材
４    移動用のチェーン
５    係合部材
６ａ，６ｂ，６ｃ，６ｄ  スプロケット
７    駆動源
８    伝動チェーン
９ａ  スプリング
９ｂ  突起
１０  台車
１１  台プレート
１２  下型用の台枠
１３  上型用の台枠
１４  車輪
１５  突起部
１６  ガイドローラ
１７，１７  係合突起
２０  金型搬出装置
２１ａ，２１ｂ  スプロケット
２２  補助の軌道
２３  補助のガイドレール部材
２４  移動手段としてのチェーン
２５，２５  係合手段
２６  基部材
２８  枢支軸部
２９  進退手段
３０  金型挿入装置
３１ａ，３１ｂ  スプロケット
３２  補助の軌道
３３  補助のガイドレール部材
３４  移動手段としてのチェーン
３５，３５  係合手段
３６  基部材
３８  枢支軸部
３９  進退手段
【図１】
2006062205.tif 000003
【図２】
2006062205.tif 000004
【図３】
2006062205.tif 000005
【図４】
2006062205.tif 000006
【図５】
2006062205.tif 000007
【図６】
2006062205.tif 000008
【図７】
2006062205.tif 000009
【図８】
2006062205.tif 000010
【図９】
2006062205.tif 000011
【図１０】
2006062205.tif 000012
【図１１】
2006062205.tif 000013